(57)【要約】【課題】マルチコア光ファイバにおいて隣接コア間の干渉を抑制できる光送信装置を提供する。【解決手段】マルチコア光ファイバのための光送信装置は、マルチコア光ファイバのコアのそれぞれに対応する送信手段と、送信手段が出力する波長多重信号を対応するコアに導くガイド手段と、を備えており、マルチコア光ファイバの互いに隣接する２つコアのそれぞれに対応する送信手段は、同じ波長を使用しない。【選択図】図３
2015162805.tif 000002
【特許請求の範囲】
【請求項１】
マルチコア光ファイバのための光送信装置であって、
前記マルチコア光ファイバのコアのそれぞれに対応する送信手段と、
前記送信手段が出力する波長多重信号を対応するコアに導くガイド手段と、
を備えており、
前記マルチコア光ファイバの互いに隣接する２つコアのそれぞれに対応する送信手段は、同じ波長を使用しないことを特徴とする光送信装置。
【請求項２】
前記マルチコア光ファイバのコア間の距離の内の最短距離で互いに隣接する２つコアのそれぞれに対応する送信手段は、同じ波長を使用しないことを特徴とする請求項１に記載の光送信装置。
【請求項３】
前記光送信装置において使用される波長は、所定の波長間隔の波長グリッドに対応する波長であり、
前記マルチコア光ファイバの互いに隣接する２つコアのそれぞれに対応する送信手段において使用される波長は、異なる波長グリッドに対応する波長であることを特徴とする請求項１又は２に記載の光送信装置。
【請求項４】
マルチコア光ファイバのための光送信装置であって、
前記マルチコア光ファイバのコアのそれぞれに対応する送信手段と、
前記送信手段が出力する波長多重信号を対応するコアに導くガイド手段と、
を備えており、
前記送信手段は、少なくとも１つの同じ波長を含む波長多重信号を送信する２つのコアの間のコアには、当該波長多重信号とは異なる波長を含む波長多重信号を送信することを特徴とする光送信装置。
【発明の詳細な説明】
【技術分野】
【０００１】
本発明は、マルチコア光ファイバによる光通信技術に関する。
【背景技術】
【０００２】
１つの光ファイバ内に複数のコアを設けたマルチコア光ファイバが実現されており、非特許文献１は、７つのコアを有するマルチコア光ファイバのコアそれぞれで、１２８Ｇｂ／ｓの光信号を１０波多重して伝送するための構成を開示している。
【先行技術文献】
【非特許文献】
【０００３】
【非特許文献１】Ｓ．Ｃｈａｎｄｒａｓｅｋｈａｒ，ｅｔ  ａｌ．，"ＷＤＭ／ＳＤＭＴｒａｎｓｍｉｓｓｉｏｎ  ｏｆ  １０×１２８−Ｇｂ／ｓ  ＰＤＭ-ＱＰＳＫ  ｏｖｅｒ  ２６８８-ｋｍ  ７-Ｃｏｒｅ  Ｆｉｂｅｒ  ｗｉｔｈ  ａ  ｐｅｒ−Ｆｉｂｅｒ  Ｎｅｔ  Ａｇｇｒｅｇａｔｅ  Ｓｐｅｃｔｒａｌ−Ｅｆｆｉｃｉｅｎｃｙ  Ｄｉｓｔａｎｃｅ  Ｐｒｏｄｕｃｔ  ｏｆ  ４０，３２０ｋｍ・ｂ／ｓ／Ｈｚ"、ＥＣＯＣ  Ｐｏｓｔｄｅａｄｌｉｎｅ  Ｐａｐｅｒｓ  ２０１１ＯＳＡ
【発明の概要】
【発明が解決しようとする課題】
【０００４】
マルチコア光ファイバにおいては、コア数を増加させるためにコアの密度を増加させると、隣接するコアを伝搬する光信号からの干渉が無視できなくなる。コア間の干渉を抑圧する方法として、マルチコア光ファイバの屈折率分布を調整する方法があるが、既に製造されたマルチコア光ファイバに適用することはできない。また、隣接コアを伝搬する光信号の方向を互いに逆向きとすることでコア間の干渉を抑制できるが、長距離伝送システムにおいて不可欠な光増幅中継器の構成が複雑となってしまう。
【０００５】
本発明は、マルチコア光ファイバにおいて隣接コア間の干渉を抑制できる光送信機を提供するものである。
【課題を解決するための手段】
【０００６】
本発明の一側面によると、マルチコア光ファイバのための光送信装置であって、前記マルチコア光ファイバのコアのそれぞれに対応する送信手段と、前記送信手段が出力する波長多重信号を対応するコアに導くガイド手段と、を備えており、前記マルチコア光ファイバの互いに隣接する２つコアのそれぞれに対応する送信手段は、同じ波長を使用しないことを特徴とする。
【発明の効果】
【０００７】
隣接コア間の干渉を抑制できる。
【図面の簡単な説明】
【０００８】
【図１】１３コアを有するマルチコア光ファイバの断面図。
【図２】一実施形態によるマルチコア光ファイバによる光通信システムの構成図。
【図３】一実施形態による波長配置を示す図。
【発明を実施するための形態】
【０００９】
以下、本発明の例示的な実施形態について図面を参照して説明する。なお、以下の各図においては、実施形態の説明に必要ではない構成要素については図から省略する。
【００１０】
図１は、本実施形態で説明する光通信システムにおいて使用されるマルチコア光ファイバ３の断面図であり、マルチコア光ファイバ３は、１３個のコアを有している。より詳細には、マルチコア光ファイバ３は、マルチコア光ファイバの円周に沿って配置された１２個のコアと、その中心に配置された１つのコアを有している。なお、円周に沿って配置されたコアは１２個以下であっても、１２個より多くても良い。図２は、本実施形態による光通信システムの構成図である。光送信装置１は、マルチコア光ファイバ３の各コアに対応する送信部１１−１〜１１−１３を備えている。各送信部１１−１〜１１−１３は、対応するコアで使用する波長の光信号を送信データで変調し、波長多重してファンイン部１２に出力する。なお、各コアで使用する波長の考え方については後述する。ファンイン部１２は、各送信部１１−１〜１１−１３からの波長多重された光信号を、マルチコア光ファイバ３の対応するコアに入力させるための導材である。
【００１１】
光受信装置２のファンアウト部２２は、マルチコア光ファイバ３の各コアから出力される光信号を、各コアに対応する受信部に入力させるための導材である。各受信部２１−１〜２１−１３は、対応するコアから入力された波長多重された光信号を波長分離し、各波長の光信号を復調する。
【００１２】
続いて、本実施形態によるコアへの波長配置について説明する。まず、マルチコア光ファイバにおいて、最短距離で隣接するコアを最短隣接コアと呼ぶものとする。例えば、図１に示すマルチコア光ファイバ３においては、番号２から１３のコアは、円周上に等間隔で配置されており、この間隔がマルチコア光ファイバ３のコア間の距離の中で最短のものである。したがって、番号２から１３のコアのそれぞれは、その両隣のコアが最短隣接コアとなる。なお、番号１のコアと他のコアとの距離は、円周上のコア間の距離より長いため、番号１のコアは、最短隣接コアを有さない。
【００１３】
本実施形態では、あるコアで使用する波長と、当該コアの最短隣接コアで使用する波長が互いに異なる様に波長配置を決定する。図３は、その一例であり、波長の短い順にλ１から番号を振ると、コア＃２では、奇数番号の波長を使用し、コア＃２の最短隣接コアであるコア＃３及び＃１３では、偶数番号の波長を使用する。コア＃２からの干渉の影響を最も強く受けるコア＃３及び＃１３では、コア＃２からの干渉で生ずる波長の信号をデータ伝送に使用しておらず、よって、クロストークの影響を低減することができる。なお、図３には、コア＃１の波長については記載していないが、コア＃１は、最短隣接コアを有さないため、任意の波長を使用することができる。
【００１４】
本実施形態では、あるコアと最短隣接コアの間では、互いに異なる波長を使用することとしている。なお、最短隣接コア以外のコアでは、同じ波長を使用できるが、使用しなくとも良い。本実施形態では、例えば、少なくとも１つの同じ波長を含む波長多重信号が送信される２つのコアの間には、少なくとも１つの、異なる波長のみを含む波長多重信号が送信されるコアが存在する。例えば、同じ波長の波長多重信号が送信されるコア＃２とコア＃４の間には、異なる波長のみを含む波長多重信号が送信されるコア＃３が存在する。この様に、例えば、コア＃２とコア＃４間には、クラッド部と比較して屈折率が高いコア＃３が存在するので、コア＃２またはコア＃４を伝搬する信号光の空間分布は周辺に他のコアが存在しない場合と異なる形状となり、コア＃３より外側へ漏れこむ光信号パワーは小さくなる。そのため、コア＃２とコア＃４間のクロストークは、コア＃３の存在によりコア＃３が存在しない場合と比較して小さくなる。よって、コア＃２とコア＃４では同じ波長を含む波長多重信号、例えば、同一の波長配置を用いることができる。逆に、少なくとも１つの同じ波長が送信されるコア間には、異なる波長が送信されるコアが存在する様にすることで、干渉を抑えることができる。
【００１５】
なお、光送信装置で使用される波長（λ１、λ２、・・・、λ２６、・・・）は、所定の波長間隔の波長グリッドに対応する波長であり、２つの最短隣接コアのそれぞれで使用する波長は、互いに異なる波長グリッドに対応する波長である。
【図１】
2015162805.tif 000003
【図２】
2015162805.tif 000004
【図３】
2015162805.tif 000005